(57)【要約】【課題】有線接続が不可能な環境下での番組情報の取得が可能であるとともに番組情報を最新の状態に保つことが可能で、かつ、ユーザが放送による映像を見ている途中で強制的に中断させられることを回避することが可能な放送受信装置を提供する。【解決手段】このＨＤＤレコーダ１００（放送受信装置）は、ディスプレイ装置５０に接続され、放送波により放送信号とともにサービス情報（ＰＳＩ／ＳＩ）を受信する受信部（チューナ）２２を含む装置本体１０と、装置本体１０に設けられ、受信した放送信号に基づく映像を記憶するＨＤＤ部２８と、サービス情報に基づいて作成された電子番組表（ＥＰＧ）を記憶するメモリ部２５と、サービス情報を受信する時間よりも５分前に、装置本体１０の電源がオン状態である場合には、ディスプレイ装置５０の電源状態は維持しながら、装置本体１０の電源をオフ状態（スタンバイ状態）に移行させる制御部２１とを備える。【選択図】図１
2008141449.tif 000002
【特許請求の範囲】
【請求項１】
表示装置に接続され、放送信号とともに番組情報を受信する放送受信手段と、受信した前記放送信号に基づく映像を記憶する映像記憶部と、前記番組情報に基づいて作成された電子番組表を記憶する番組情報記憶部とを含む装置本体を備えた放送受信装置において、
前記装置本体に設けられ、放送波により前記放送信号とともに前記番組情報を受信するために１日の中で複数回設定された時間よりもそれぞれ所定の時間前に、前記装置本体の電源がオン状態である場合には、前記表示装置の電源状態は維持しながら、前記装置本体の電源をオフ状態にする制御部をさらに備え、
前記装置本体は、前記番組情報を受信する前記時間よりも所定の時間前に、前記装置本体の電源をオフ状態にするか否かを選択可能なように構成されるとともに、前記映像記憶部に記憶された前記放送信号に基づく前記映像が再生中である場合において、前記番組情報を受信する前記時間よりも所定の時間前に、前記装置本体の電源をオフ状態にする場合には、前記装置本体の電源をオフ状態に移行させる旨のメッセージを前記表示装置に出力するとともに、前記制御部が前記装置本体の電源をオフ状態に移行させることの許可を求めるように構成され、
前記制御部は、前記番組情報を受信する前記時間よりも所定の時間前に、前記装置本体の電源をオフ状態にする設定が選択されている場合には、前記番組情報が配信される時間に毎回、前記装置本体の電源をオフ状態にする制御を行うように構成され、
前記制御部は、受信された前記放送信号に基づく前記映像が録画中である場合には、前記番組情報を受信する前記時間よりも所定の時間前に、前記装置本体の電源をオフ状態にする制御を行わないように構成され、
前記制御部は、前記番組情報の受信が終了した際に、前記装置本体の前記電源状態を、前記番組情報を受信する前記時間よりも所定の時間前の前記電源状態に戻す制御を行うように構成される、放送受信装置。
【請求項２】
表示装置に接続され、放送波により放送信号とともに番組情報を受信する放送受信手段を含む装置本体と、
前記装置本体に設けられ、受信した前記放送信号に基づく映像を記憶する映像記憶部と、
前記装置本体に設けられ、前記番組情報に基づいて作成された電子番組表を記憶する番組情報記憶部と、
前記装置本体に設けられ、前記番組情報を受信する時間よりも所定の時間前に、前記装置本体の電源がオン状態である場合には、前記表示装置の電源状態は維持しながら、前記装置本体の電源をオフ状態にする制御部とを備えた、放送受信装置。
【請求項３】
前記装置本体は、前記番組情報を受信する前記時間よりも所定の時間前に、前記装置本体の電源をオフ状態にするか否かを選択可能なように構成されている、請求項２に記載の放送受信装置。
【請求項４】
前記装置本体は、前記映像記憶部に記憶された前記放送信号に基づく前記映像が再生中である場合において、前記番組情報を受信する前記時間よりも所定の時間前に、前記装置本体の電源をオフ状態にする場合には、前記装置本体の電源をオフ状態に移行させる旨のメッセージを前記表示装置に出力するとともに、前記制御部が前記装置本体の電源をオフ状態に移行させることの許可を求めるように構成されている、請求項２または３に記載の放送受信装置。
【請求項５】
前記番組情報が配信される前記時間は１日の中で複数回設けられ、
前記制御部は、前記番組情報を受信する前記時間よりも所定の時間前に、前記装置本体の電源をオフ状態にする設定が選択されている場合には、前記番組情報が配信される時間に毎回、前記装置本体の電源をオフ状態にする制御を行うように構成されている、請求項２〜４のいずれか１項に記載の放送受信装置。
【請求項６】
前記制御部は、受信された前記放送信号に基づく前記映像が録画中である場合には、前記番組情報を受信する前記時間よりも所定の時間前に、前記装置本体の電源をオフ状態にする制御を行わないように構成されている、請求項２〜５のいずれか１項に記載の放送受信装置。
【請求項７】
前記制御部は、前記番組情報の受信が終了した際に、前記装置本体の前記電源状態を、前記番組情報を受信する前記時間よりも所定の時間前の前記電源状態に戻す制御を行うように構成されている、請求項２〜６のいずれか１項に記載の放送受信装置。
【発明の詳細な説明】
【技術分野】
【０００１】
この発明は、放送受信装置に関し、特に、放送信号とともに番組情報を受信する放送受信手段を含む放送受信装置に関する。
【背景技術】
【０００２】
従来、放送信号とともに番組情報を受信する放送受信手段を含む放送受信装置や記録再生装置などが知られている（たとえば、特許文献１〜５参照）。
【０００３】
上記特許文献１には、通信回線を介してインターネットなどの情報ネットワークに有線接続されるテレビジョン放送受信装置を備えた記録再生装置が開示されている。この特許文献１に記載の記録再生装置では、任意のタイミングでネットワークサーバ上のＥＰＧ（Ｅｒｅｃｔｒｏｎｉｃ  Ｐｒｏｇｒａｍ  Ｇｕｉｄｅ）情報（番組情報）が格納されたデータベースにアクセスしてＥＰＧ情報を取得するとともに、取得された最新のＥＰＧ情報に基づいて電子番組表を作成および更新することが可能に構成されている。
【０００４】
上記特許文献２には、屋外設置されたアンテナからデジタル放送波を受信可能なデジタル放送受信装置が開示されている。この特許文献２に記載のデジタル放送受信装置では、ユーザがリモコン送信機によって装置本体の電源オフ指令を出したことに基づいて、装置本体の制御部（ＣＰＵ）がＥＰＧ情報（番組情報）を取得して記憶するとともに、装置本体の電源オン指令に基づいて、記憶されているＥＰＧ情報から作成された電子番組表を映像出力することが可能に構成されている。
【０００５】
上記特許文献３には、屋外設置されたアンテナからデジタル放送波を受信可能なデジタル放送受信装置が開示されている。この特許文献３に記載のデジタル放送受信装置では、ユーザがリモコン送信機によって装置本体の電源オフ指令を出したことに基づいて、装置本体の制御部（ＣＰＵ）がＥＰＧ情報（番組情報）を取得して記憶するとともに、装置本体の電源オン指令に基づいて、記憶されているＥＰＧ情報から作成された電子番組表を映像出力することが可能に構成されている。
【０００６】
上記特許文献４には、ＢＳ衛星放送、ＣＳ衛星放送、地上波放送およびケーブルテレビなどのネットワークから配信される情報を受信可能な放送受信装置が開示されている。この特許文献４に記載の放送受信装置では、装置本体の主電源がオン状態で、かつ、副電源がオフの状態（装置本体がスタンバイ状態）に遷移したときに、ネットワーク内の各局のＥＰＧ情報（番組情報）を順次取得していくことが可能に構成されている。
【０００７】
上記特許文献５には、装置本体にタイマー機能を備え、アンテナからデジタル放送波を受信可能な放送受信装置が開示されている。この特許文献５に記載の放送受信装置では、ユーザが番組を視聴中に、予めタイマー設定された時間においてデジタル放送波とともに配信される番組配列情報（ＳＩ情報）を取得するために、装置本体の外部に接続された映像表示装置への電源供給を停止するとともに、装置本体内部の番組情報取得部への電源供給をオン状態に切り換えるような制御方法を適用するように構成されている。また、番組配列情報（ＳＩ情報）を取得禁止とする時間をタイマー機能によってユーザが予め設定することも可能なように構成されており、この取得禁止時間においても、装置本体の外部に接続された映像表示装置への電源供給を停止するような制御方法を適用するように構成されている。
【０００８】
【特許文献１】特開２００５−１４２７５３号公報
【特許文献２】特開２００３−１６３８５４号公報
【特許文献３】特開２００５−２８６４２４号公報
【特許文献４】Ｗ０２００３／１０５４６８号公報（再公表特許）
【特許文献５】特開２００４−１７２７９１号公報
【発明の開示】
【発明が解決しようとする課題】
【０００９】
しかしながら、上記特許文献１に記載の記録再生装置では、テレビジョン放送受信装置が情報ネットワークに対して有線接続されているために、テレビジョン放送の視聴を含め、ＥＰＧ情報の取得は、有線接続可能な環境下での利用に限定されてしまうと考えられる。したがって、情報ネットワークへの有線接続ができない環境下では、テレビジョン放送の視聴およびＥＰＧ情報（番組情報）の取得が困難であるという問題点がある。
【００１０】
また、上記特許文献２に記載のデジタル放送受信装置では、ユーザがリモコン送信機によって装置本体の電源オフ指令を出した場合にのみＥＰＧ情報を取得することができる一方、装置本体の電源がオン状態（視聴時）の時には、ＥＰＧ情報を取得することができないと考えられる。したがって、長時間に渡って装置本体の電源がオン状態を継続している場合、放送局側で定期的に更新され配信されているＥＰＧ情報をデジタル放送受信装置側でも定期的に更新することができないので、デジタル放送受信装置のＥＰＧ情報（番組情報）を最新の状態に保つことができないという問題点がある。
【００１１】
また、上記特許文献３に記載のデジタル放送受信装置では、ユーザがリモコン送信機によって装置本体の電源オフ指令を出した場合にのみＥＰＧ情報を取得することができる一方、装置本体の電源がオン状態（視聴時）の時には、ＥＰＧ情報を取得することができないと考えられる。したがって、長時間に渡って装置本体の電源がオン状態を継続している場合、放送局側で定期的に更新され配信されているＥＰＧ情報をデジタル放送受信装置側でも定期的に更新することができないので、デジタル放送受信装置のＥＰＧ情報（番組情報）を最新の状態に保つことができないという問題点がある。
【００１２】
また、上記特許文献４に記載の放送受信装置では、装置本体の副電源がオフの状態（スタンバイ状態）に遷移した場合にのみＥＰＧ情報を取得することができる一方、装置本体の電源がオン状態（視聴時）の時には、ＥＰＧ情報を取得することができないと考えられる。したがって、長期間に渡って装置本体の電源がオン状態を継続している場合、放送局側で定期的に更新され配信されているＥＰＧ情報をデジタル放送受信装置側でも定期的に更新することができないので、デジタル放送受信装置のＥＰＧ情報（番組情報）を最新の状態に保つことができないという問題点がある。
【００１３】
また、上記特許文献５に記載の放送受信装置では、番組配列情報（ＳＩ情報）を取得する時間および番組配列情報（ＳＩ情報）の取得禁止に設定された時間となった場合、映像表示装置への電源供給が停止されるために、ユーザは放送番組を見ている途中で強制的に中断させられてしまうという問題点がある。
【００１４】
この発明は、上記のような課題を解決するためになされたものであり、この発明の１つの目的は、有線接続が不可能な環境下での番組情報の取得が可能であるとともに番組情報を最新の状態に保つことが可能で、かつ、ユーザが放送による映像を見ている途中で強制的に中断させられることを回避することが可能な放送受信装置を提供することである。
【課題を解決するための手段および発明の効果】
【００１５】
この発明の第１の局面による放送受信装置は、表示装置に接続され、放送信号とともに番組情報を受信する放送受信手段と、受信した放送信号に基づく映像を記憶する映像記憶部と、番組情報に基づいて作成された電子番組表を記憶する番組情報記憶部とを含む装置本体を備えた放送受信装置において、装置本体に設けられ、放送波により放送信号とともに番組情報を受信するために１日の中で複数回設定された時間よりもそれぞれ所定の時間前に、装置本体の電源がオン状態である場合には、表示装置の電源状態は維持しながら、装置本体の電源をオフ状態にする制御部をさらに備え、装置本体は、番組情報を受信する時間よりも所定の時間前に、装置本体の電源をオフ状態にするか否かを選択可能なように構成されるとともに、映像記憶部に記憶された放送信号に基づく映像が再生中である場合において、番組情報を受信する時間よりも所定の時間前に、装置本体の電源をオフ状態にする場合には、装置本体の電源をオフ状態に移行させる旨のメッセージを表示装置に出力するとともに、制御部が装置本体の電源をオフ状態に移行させることの許可を求めるように構成され、制御部は、番組情報を受信する時間よりも所定の時間前に、装置本体の電源をオフ状態にする設定が選択されている場合には、番組情報が配信される時間に毎回、装置本体の電源をオフ状態にする制御を行うように構成され、制御部は、受信された放送信号に基づく映像が録画中である場合には、番組情報を受信する時間よりも所定の時間前に、装置本体の電源をオフ状態にする制御を行わないように構成され、制御部は、番組情報の受信が終了した際に、装置本体の電源状態を、番組情報を受信する時間よりも所定の時間前の電源状態に戻す制御を行うように構成される。
【００１６】
この第１の局面による放送受信装置では、上記のように、装置本体を、放送波により放送信号とともに番組情報を受信する放送受信手段を含むように構成することによって、有線接続が可能とされていない使用環境においても、放送波を介して放送信号とともに番組情報を受信することができるので、有線接続が不可能な環境下での番組情報の取得ができる。また、装置本体に設けられ、番組情報を受信する時間よりも所定の時間前に、装置本体の電源がオン状態である場合には、装置本体の電源をオフ状態にする制御部を備えるように構成することによって、装置本体は、制御部によって番組情報を受信する時間には電源がオフ状態（スタンバイ状態）に切り換えられているので、この場合、確実に番組情報を取得することができる。したがって、１日の中で複数回に渡って更新される番組情報を常に最新の状態として装置本体に保持することができる。また、装置本体に設けられ、番組情報を受信する時間よりも所定の時間前に、装置本体の電源がオン状態である場合には、表示装置の電源状態は維持しながら、装置本体の電源をオフ状態にする制御部を備えるように構成することによって、装置本体が番組情報を取得する際においても、表示装置の電源状態を維持することができるので、ユーザが映像を見ている途中で番組情報の取得によって強制的に中断させられることを回避することができる。
【００１７】
また、第１の局面による放送受信装置では、装置本体を、番組情報を受信する時間よりも所定の時間前に、装置本体の電源をオフ状態にするか否かを選択可能なように構成することによって、ユーザが番組情報の取得を望む場合と、ユーザが番組情報の取得を望まない場合とによって、装置本体の電源制御をユーザが任意に選択することができる。また、装置本体を、映像記憶部に記憶された放送信号に基づく映像が再生中である場合において、番組情報を受信する時間よりも所定の時間前に、装置本体の電源をオフ状態にする場合には、装置本体の電源をオフ状態に移行させる旨のメッセージを表示装置に出力するとともに、制御部が装置本体の電源をオフ状態に移行させることの許可を求めるように構成することによって、ユーザは録画番組の再生中であっても、所定の時間後に装置本体の電源がオフ状態（スタンバイ状態）に移行されることを容易に認識することができる。その上で、ユーザは録画番組の再生を中断して装置本体の電源をオフ状態に移行させるか否かの判断を最終的に決定することができるので、装置本体側の一方的な制御により、ユーザが録画番組の再生を強制的に中断させられてしまうことを回避することができる。
【００１８】
また、第１の局面による放送受信装置では、制御部を、番組情報を受信する時間よりも所定の時間前に、装置本体の電源をオフ状態にする設定が選択されている場合には、番組情報が配信される時間に毎回、装置本体の電源をオフ状態にする制御を行うように構成することによって、装置本体は１日の中で複数回に渡って更新される番組情報を常に最新の状態として装置本体に保持し続けることができる。また、制御部を、受信された放送信号に基づく映像が録画中である場合には、番組情報を受信する時間よりも所定の時間前に、装置本体の電源をオフ状態にする制御を行わないように構成することによって、装置本体は番組情報の取得のために、映像の録画動作を制御する内部機器への電源供給を停止する必要がないので、ユーザは、映像の録画を中断させられることがなく、映像の録画を継続させることができる。また、制御部を、番組情報の受信が終了した際に、装置本体の電源状態を、番組情報を受信する時間よりも所定の時間前の電源状態に戻す制御を行うように構成することによって、ユーザは、更新された番組情報に基づいて作成された電子番組表を閲覧しながら新規の録画予約が設定可能であるとともに、再生が中断された時点の映像視聴を直ちに再開させることも可能である。したがって、ユーザは、番組情報受信前に行っていた継続中の操作を容易に再開させることかできる。
【００１９】
この発明の第２の局面による放送受信装置は、表示装置に接続され、放送波により放送信号とともに番組情報を受信する放送受信手段を含む装置本体と、装置本体に設けられ、受信した放送信号に基づく映像を記憶する映像記憶部と、装置本体に設けられ、番組情報に基づいて作成された電子番組表を記憶する番組情報記憶部と、装置本体に設けられ、番組情報を受信する時間よりも所定の時間前に、装置本体の電源がオン状態である場合には、表示装置の電源状態は維持しながら、装置本体の電源をオフ状態にする制御部とを備える。
【００２０】
この第２の局面による放送受信装置では、上記のように、装置本体を、放送波により放送信号とともに番組情報を受信する放送受信手段を含むように構成することによって、有線接続が可能とされていない使用環境においても、放送波を介して放送信号とともに番組情報を受信することができるので、有線接続が不可能な環境下での番組情報の取得ができる。また、装置本体に設けられ、番組情報を受信する時間よりも所定の時間前に、装置本体の電源がオン状態である場合には、装置本体の電源をオフ状態にする制御部を備えるように構成することによって、装置本体は、制御部によって番組情報を受信する時間には電源がオフ状態（スタンバイ状態）に切り換えられているので、この場合、確実に番組情報を取得することができる。したがって、１日の中で複数回に渡って更新される番組情報を常に最新の状態として装置本体に保持することができる。また、装置本体に設けられ、番組情報を受信する時間よりも所定の時間前に、装置本体の電源がオン状態である場合には、表示装置の電源状態は維持しながら、装置本体の電源をオフ状態にする制御部を備えるように構成することによって、装置本体が番組情報を取得する際においても、表示装置の電源状態を維持することができるので、ユーザが映像を見ている途中で番組情報の取得によって強制的に中断させられることを回避することができる。
【００２１】
上記第２の局面による放送受信装置において、好ましくは、装置本体は、番組情報を受信する時間よりも所定の時間前に、装置本体の電源をオフ状態にするか否かを選択可能なように構成されている。このように構成すれば、ユーザが番組情報の取得を望む場合と、ユーザが番組情報の取得を望まない場合とによって、装置本体の電源制御をユーザが任意に選択することができる。
【００２２】
上記第２の局面による放送受信装置において、好ましくは、装置本体は、映像記憶部に記憶された放送信号に基づく映像が再生中である場合において、番組情報を受信する時間よりも所定の時間前に、装置本体の電源をオフ状態にする場合には、装置本体の電源をオフ状態に移行させる旨のメッセージを表示装置に出力するとともに、制御部が装置本体の電源をオフ状態に移行させることの許可を求めるように構成されている。このように構成すれば、ユーザは録画番組の再生中であっても、所定の時間後に装置本体の電源がオフ状態（スタンバイ状態）に移行されることを容易に認識することができる。その上で、ユーザは録画番組の再生を中断して装置本体の電源をオフ状態に移行させるか否かの判断を最終的に決定することができるので、装置本体側の一方的な制御により、ユーザが録画番組の再生を強制的に中断させられてしまうことを回避することができる。
【００２３】
上記第２の局面による放送受信装置において、好ましくは、番組情報が配信される時間は１日の中で複数回設けられ、制御部は、番組情報を受信する時間よりも所定の時間前に、装置本体の電源をオフ状態にする設定が選択されている場合には、番組情報が配信される時間に毎回、装置本体の電源をオフ状態にする制御を行うように構成されている。このように構成すれば、装置本体は１日の中で複数回に渡って更新される番組情報を常に最新の状態として装置本体に保持し続けることができる。
【００２４】
上記第２の局面による放送受信装置において、好ましくは、制御部は、受信された放送信号に基づく映像が録画中である場合には、番組情報を受信する時間よりも所定の時間前に、装置本体の電源をオフ状態にする制御を行わないように構成されている。このように構成すれば、装置本体は番組情報の取得のために、映像の録画動作を制御する内部機器への電源供給を停止する必要がないので、ユーザは、映像の録画を中断させられることがなく、映像の録画を継続させることができる。
【００２５】
上記第２の局面による放送受信装置において、好ましくは、制御部は、番組情報の受信が終了した際に、装置本体の電源状態を、番組情報を受信する時間よりも所定の時間前の電源状態に戻す制御を行うように構成されている。このように構成すれば、ユーザは、更新された番組情報に基づいて作成された電子番組表を閲覧しながら新規の録画予約が設定可能であるとともに、再生が中断された時点の映像視聴を直ちに再開させることも可能である。したがって、ユーザは、番組情報受信前に行っていた継続中の操作を容易に再開させることかできる。
【発明を実施するための最良の形態】
【００２６】
以下、本発明を具体化した実施形態を図面に基づいて説明する。
【００２７】
図１は、本発明の一実施形態によるＨＤＤレコーダの回路構成を示したブロック図である。図２および図３は、図１に示した本発明の一実施形態によるＨＤＤレコーダを操作するリモコン送信機を示した図である。図４〜図９は、図１に示した本発明の一実施形態によるＨＤＤレコーダの操作画面の構成を示した図である。まず、図１〜図９を参照して、本発明の一実施形態によるＨＤＤレコーダ１００の構成について説明する。なお、本実施形態では、放送受信装置の一例であるＨＤＤレコーダに本発明を適用した場合について説明する。
【００２８】
本発明の一実施形態によるＨＤＤレコーダ１００は、図１に示すように、装置本体１０の制御回路部２０が、アンテナ４０およびディスプレイ装置５０にそれぞれアンテナケーブル６０および映像・音声ケーブル７０を介して接続されることによって、放送局から受信されたテレビ番組を視聴したり録画することが可能なように構成されている。また、図１に示すように、ユーザが装置本体１０から離れた位置から装置本体１０を操作可能とするためのリモコン送信機８０が設けられている。
【００２９】
ここで、本実施形態では、制御回路部２０は、図１に示すように、ＣＰＵからなり、装置本体１０の全体の制御を司る制御部２１と、アンテナ４０によって受信された放送信号波から所望の放送局の信号波を選局受信する受信部（チューナ）２２と、受信部（チューナ）２２で受信された信号波から映像・音声信号およびサービス情報（ＰＳＩ／ＳＩ：Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を分離するデマルチプレクサ（ＤＥＭＵＸ）２３と、デマルチプレクサ（ＤＥＭＵＸ）２３によって分離された映像・音声信号をデコード（復号）するデコーダ２４と、デマルチプレクサ（ＤＥＭＵＸ）２３によって分離されたサービス情報（ＰＳＩ／ＳＩ）に基づいて制御部２１によって作成された電子番組表（ＥＰＧ：Ｅｌｅｃｔｒｉｃ  Ｐｒｏｇｒａｍ  Ｇｕｉｄｅ）を保存するメモリ部２５とを備えている。なお、受信部（チューナ）２２およびメモリ部２５は、それぞれ、本発明の「放送受信手段」および「番組情報記憶部」の一例である。
【００３０】
また、制御回路部２０は、制御部２１の制御内容によって制御回路部２０および装置本体１０を構成する所定の内部機器に電源を供給する電源部２６と、リモコン送信機８０からのリモコン信号を受光するとともに電気信号に変換して制御部２１に指令を与えるリモコン受光部２７と、受信部（チューナ）２２によって選局受信されたテレビ番組の信号波がデコーダ２４によって記録可能なデータ形式に変換された映像・音声データを記録するＨＤＤ部（ハードディスクドライブ部）２８と、制御部２１が実行する制御プログラムを格納する制御プログラム格納メモリ部２９と、制御部２１から出力指示された文字情報や色情報に基づく映像データを、ディスプレイ装置５０により出力される受信映像データに組み込む処理を行うＯＳＤ部（オンスクリーンディスプレイ部）３０と、映像出力端子および音声出力端子から構成され外部機器（本実施形態ではディスプレイ装置５０）への接続端子となるＡＶ出力端子３１とをさらに備えている。なお、ＨＤＤ部２８およびディスプレイ装置５０は、それぞれ、本発明の「映像記憶部」および「表示装置」の一例である。
【００３１】
また、電子番組表（ＥＰＧ）は、ホスト放送局の放送信号波とともに、１日複数回（５回〜１６回：配信回数は放送局によって異なる）所定の時間に配信される前述のサービス情報（ＰＳＩ／ＳＩ）に含まれる形で配信されている。そして、サービス情報（ＰＳＩ／ＳＩ）が含まれた放送信号波を受信した上で、放送受信装置（本実施形態ではＨＤＤレコーダ１００）によって電子番組表（ＥＰＧ）が内部的に作成されたものを、ユーザは、放送受信装置が有するＯＳＤ（オンスクリーンディスプレイ）機能によって、外部機器（本実施形態ではディスプレイ装置５０）に表示された情報として閲覧することが可能である。また、ユーザは、この電子番組表（ＥＰＧ）を参照することによって、ＨＤＤレコーダ１００に対してテレビ番組の録画予約を行うことが可能なように構成されている。
【００３２】
また、本実施形態では、制御部２１は、１日のうち、放送信号波の隙間に配信されるサービス情報（ＰＳＩ／ＳＩ）を受信する所定の時間の５分前になると、装置本体１０の使用状況と、使用状況に伴う内部機器への電源の供給状態を認識することを行うように構成されている。そして、装置本体１０のＨＤＤ部２８およびＨＤＤ部２８への録画再生動作を制御する内部機器への電源供給状態がオン状態の場合は、ＨＤＤ部２８およびＨＤＤ部２８への録画再生動作を制御する内部機器への電源供給を停止するとともに、装置本体１０を映像記録再生装置としてはスタンバイ状態に移行させる制御を行うことが可能なように構成されている。
【００３３】
また、図１に示すように、受信部（チューナ）２２は、映像および音声データを含む高周波デジタル変調信号のうちから任意に選択されたの周波数のデジタル変調信号を取り出すように構成され、選択されたデジタル変調信号を復調して出力する機能を有するように構成されている。また、図１に示すように、デマルチプレクサ（ＤＥＭＵＸ）２３は、受信部（チューナ）２２から出力された信号を、映像信号、音声信号およびサービス情報（ＰＳＩ／ＳＩ）に分離するとともに、分離された映像信号および音声信号をデコーダ２４に供給する一方、サービス情報（ＰＳＩ／ＳＩ）をバス３２を介して制御部２１に供給する機能を有するように構成されている。また、図１に示すように、デコーダ２４は、映像信号および音声信号のそれぞれに対してデコード処理（符号の復号化）を行い、映像データおよび音声データを生成する機能を有するように構成されている。なお、映像データおよび音声データはそれぞれＤ／Ａ変換処理（デジタル／アナログ変換）がなされた上で、図１に示すように、ＡＶ出力端子３１から装置本体１０外部に接続された機器（本実施形態ではディスプレイ装置５０）に出力されるように構成されている。
【００３４】
また、図２に示すように、リモコン送信機８０は、大別して、ＨＤＤレコーダ１００の主電源をオン／オフさせる電源ボタン８１ａやテレビ番組のチャンネルを選局するための操作ボタン群８１と、ＨＤＤレコーダ１００のＨＤＤ部２８（図１参照）にテレビ番組を録画させる際の諸設定を行わせるための操作ボタン群８２と、ＨＤＤ部２８（図１参照）に録画された番組を再生する際に使用される操作ボタン群８３とから構成されている。
【００３５】
また、図３に示すように、装置本体１０のリモコン送信機８０は、ユーザがトップメニューボタン８２ａを押圧することによって、図４に示すような、ディスプレイ装置５０にトップメニュー画面９０が表示されるように構成されている。また、図４に示すようなトップメニュー画面９０において、ユーザは選択ボタン８２ｂ（図３参照）を使用して画面内のカーソル位置を移動させるとともに、決定ボタン８２ｃ（図３参照）を使用して、選択された設定内容を決定（実行）させることが可能なように構成されている。また、図３に示すように、ユーザがリターンボタン８２ｄを押圧することによって、ディスプレイ装置５０に現在表示されている設定画面（たとえばトップメニュー画面９０など）から、一つ前にディスプレイ装置５０に表示されていた設定画面に戻すことが可能なように構成されている。また、ユーザがリターンボタン８２ｄ（図３参照）の押圧動作を複数回繰り返すことによって、ディスプレイ装置５０に表示されているトップメニュー画面９０（図４参照）の表示を終了させるとともに、装置本体１０のディスプレイ装置５０を通常の視聴状態に復帰させることが可能なように構成されている。
【００３６】
また、図４に示すようなディスプレイ装置５０に表示されているトップメニュー画面９０において、各メニューのうち、”セットアップ”ボタン９０ａを選択・決定した場合は、図５に示すようなセットアップ画面９１が表示されるように構成されている。さらに、ディスプレイ装置５０に表示されているセットアップ画面９１において、各メニューのうち、”省電力／表示設定”ボタン９１ａを選択・決定した場合は、図６に示すように、省電力／表示設定に関する各メニューが表示されるように構成されている。さらに、その各メニューのうち、”電子番組表設定”ボタン９１ｂを選択・決定した場合には、図７に示すような電子番組表設定画面９２が表示されるように構成されている。
【００３７】
ここで、本実施形態では、ディスプレイ装置５０に表示されている電子番組表設定画面９２（図７参照）において、”電源オートオフ（入）“ボタン９２ａを選択・決定した際は、図８に示すような確認画面９３がディスプレイ装置５０に表示されるように構成されている。また、この確認画面９３では、装置本体１０（図１参照）の制御部２１（図１参照）が、サービス情報（ＰＳＩ／ＳＩ）が配信される所定の時間の５分前に装置本体１０（図１参照）のＨＤＤ部２８（図１参照）およびＨＤＤ部２８（図１参照）への録画再生動作を制御する内部機器への電源供給状態がオン状態の場合は、ＨＤＤ部２８（図１参照）およびＨＤＤ部２８（図１参照）への録画再生動作を制御する内部機器への電源供給を停止するとともに、装置本体１０（図１参照）を映像記録再生装置としてはスタンバイ状態に移行させる制御を行うか否かを”はいボタン“９３ａおよび”いいえボタン“９３ｂによってユーザに選択させることが可能なように構成されている。
【００３８】
また、本実施形態では、ユーザが、サービス情報（ＰＳＩ／ＳＩ）更新のためにサービス情報（ＰＳＩ／ＳＩ）の受信時間の５分前に装置本体１０（図１参照）をスタンバイ状態に移行させる設定を確認画面９３（図８参照）によって予め行っている場合、過去にＨＤＤ部２８（図１参照）に録画されていたテレビ番組をディスプレイ装置５０において画面視聴している最中でも、制御部２１（図１参照）は、図９に示すようなメッセージ画面９４をＯＳＤ機能によってディスプレイ装置５０（図１参照）に表示させることが可能なように構成されている。なお、メッセージ画面９４は、本発明の「メッセージ」の一例である。
【００３９】
また、本実施形態では、図９に示すように、サービス情報（ＰＳＩ／ＳＩ）の受信時間の５分前に装置本体１０（図１参照）をスタンバイ状態に移行させる制御を実行させるか否かを”はいボタン“９４ａおよび”いいえボタン“９４ｂによってユーザに選択させることが可能なように構成されている。したがって、予め確認画面９３（図８参照）によってサービス情報（ＰＳＩ／ＳＩ）の受信時間の５分前に装置本体１０（図１参照）をスタンバイ状態に移行させる設定を行っている場合でも、再度、メッセージ画面９４によってユーザはこの制御を実行させるか否かを最終決定することが可能なように構成されている。
【００４０】
また、本実施形態では、サービス情報（ＰＳＩ／ＳＩ）更新のために、サービス情報（ＰＳＩ／ＳＩ）の受信時間の５分前に装置本体１０（図１参照）をスタンバイ状態に移行させる設定が確認画面９３（図８参照）によってなされている場合、制御部２１（図１参照）は、１日複数回（５回〜１６回：配信回数は放送局によって異なる）配信される全ての時間について、それぞれ、サービス情報（ＰＳＩ／ＳＩ）の受信時間の５分前に装置本体１０（図１参照）をスタンバイ状態に移行させる制御を行うことが可能なように構成されている。
【００４１】
また、本実施形態では、ＨＤＤレコーダ１００によって受信されたテレビ番組がＨＤＤ部２８（図１参照）に録画されている最中は、サービス情報（ＰＳＩ／ＳＩ）が配信される所定時間の５分前に装置本体１０（図１参照）のＨＤＤ部２８（図１参照）およびＨＤＤ部２８（図１参照）への録画再生動作を制御する内部機器への電源供給を停止するとともに、装置本体１０（図１参照）を映像記録再生装置としてはスタンバイ状態に移行させる制御を行う設定が確認画面９３（図８参照）によってなされている場合でも、この制御を行わず、ＨＤＤ部２８（図１参照）へのテレビ番組の録画を継続することが可能なように構成されている。
【００４２】
また、本実施形態では、制御部２１（図１参照）は、サービス情報（ＰＳＩ／ＳＩ）の受信が終了した際に、装置本体１０（図１参照）の内部機器への電源供給状態を、サービス情報（ＰＳＩ／ＳＩ）の受信時間の５分前の状態に戻すような制御を行うことが可能なように構成されている。
【００４３】
また、電子番組表設定画面９２（図７参照）において、“電源オートオフ（切）“ボタン９２ｂを選択・決定した際は、ユーザがリモコン送信機８０（図２参照）の電源ボタン８１ａ（図２参照）および装置本体１０（図１参照）の主電源スイッチ（図示せず）のいずれかを操作して装置本体１０（図１参照）の主電源をオフ状態（スタンバイ状態）にしない限り、サービス情報（ＰＳＩ／ＳＩ）が配信される所定時間の５分前であっても装置本体１０（図１参照）の主電源はオフ状態（スタンバイ状態）に移行されないように構成されている。
【００４４】
図１０は、図１に示した本発明の一実施形態によるＨＤＤレコーダの制御動作を説明するための図である。次に、図１および図４〜図１０を参照して、本実施形態によるＨＤＤレコーダ１００の制御部２１による制御動作について説明する。
【００４５】
ＨＤＤレコーダ１００の主電源がオン状態（ＨＤＤ部２８（図１参照）にテレビ番組を録画することが可能な状態）である場合において、制御部２１（図１参照）は、図１０に示すように、まずステップＳ１で、装置本体１０（図１参照）に内蔵された時計機能（図示せず）によって放送局から配信されてくるサービス情報（ＰＳＩ／ＳＩ）の次の配信時間を確認する。そして、ステップＳ２では、現在の時間がサービス情報（ＰＳＩ／ＳＩ）配信時間の５分前か否かが判断され、現在の時間がサービス情報（ＰＳＩ／ＳＩ）配信時間の５分前でない場合は、現在の時間がサービス情報（ＰＳＩ／ＳＩ）配信時間の５分前となるまでこの判断を繰り返す。
【００４６】
また、ステップＳ２において、現在の時間がサービス情報（ＰＳＩ／ＳＩ）配信時間の５分前になったと判断された場合は、制御部２１（図１参照）は、次のステップＳ３において、ユーザによって予め図４〜図８に示した設定プロセスにより、装置本体１０（図１参照）の電源オートオフの設定が有効（”入“）に設定されているか否かを判断する。ステップＳ３において、電源オートオフの設定が有効（”入“）に設定されていない（無効な場合）と判断された場合は、制御部２１（図１参照）は本制御に関する制御動作を終了する。
【００４７】
また、ステップＳ３において、装置本体１０（図１参照）の電源オートオフの設定が有効（”入“）に設定されていると判断された場合、次のステップＳ４において、制御部２１（図１参照）は、ＨＤＤ部２８（図１参照）の使用状況を確認する。
【００４８】
ここで、本実施形態では、次のステップＳ５において、ＨＤＤ部２８（図１参照）の使用状況から、装置本体１０が現在テレビ番組を録画中であるか否かが判断され、装置本体１０がテレビ番組を録画中であると判断された場合には、制御部２１（図１参照）は、本制御に関する制御動作を終了する。したがって、ＨＤＤ部２８（図１参照）がテレビ番組の録画に使用されている場合は、ＨＤＤ部２８への録画が中断されないことが可能となっている。
【００４９】
また、ステップＳ５において、装置本体１０がテレビ番組を録画中でないと判断された場合は、制御部２１（図１参照）は、次のステップＳ６において、装置本体１０が録画番組を再生中であるか否かを判断する。
【００５０】
ここで、本実施形態では、ステップＳ６において、装置本体１０が録画番組を再生中であると判断された場合、次のステップＳ７において、制御部２１（図１参照）は、図９に示すようなメッセージ画面９４をディスプレイ装置５０に表示させるとともに、装置本体１０の電源をオフ状態（スタンバイ状態）に移行させることの最終的な可否を確認するため、ユーザからの応答を待つ。そして、ステップＳ８で、装置本体１０の電源をオフ状態（スタンバイ状態）に移行することがユーザによって許可されたか否かが判断され、装置本体１０の電源をオフ状態（スタンバイ状態）に移行することがユーザによって許可された（ユーザが”はいボタン“９４ａ（図９参照）を選択・決定する）と判断された場合は、ステップＳ９で、制御部２１（図１参照）は、装置本体１０のＨＤＤ部２８（図１参照）に供給する電源を停止するよう電源部２６（図１参照）に指令を出す。この結果、ＨＤＤ部２８（図１参照）およびＨＤＤ部２８（図１参照）への録画再生動作を制御する内部機器への電源供給が電源部２６（図１参照）によって停止されるとともに、装置本体１０は、スタンバイ状態に移行される。
【００５１】
そして、ステップＳ１０では、制御部２１（図１参照）は、放送局から配信されるサービス情報を受信するとともに、装置本体１０のメモリ部２５（図１参照）に記憶させる。また、ステップＳ１１では、制御部２１（図１参照）は、ステップＳ１０で受信されたサービス情報に基づいて、すでにメモリ部２５（図１参照）に記憶されている電子番組表（ＥＰＧ）データの更新を行うとともに、更新後の電子番組表（ＥＰＧ）データをメモリ部２５（図１参照）に再記憶させる。
【００５２】
また、本実施形態では、ステップＳ１２において、サービス情報の更新が完了した直後に、制御部２１（図１参照）は、ＨＤＤ部２８（図１参照）およびＨＤＤ部２８（図１参照）への録画再生動作を制御する内部機器への電源停止状態（スタンバイ状態）を電源供給状態（オン状態）に回復させるよう電源部２６（図１参照）に指令を出す。この結果、ＨＤＤ部２８（図１参照）およびＨＤＤ部２８（図１参照）への録画再生動作を制御する内部機器への電源供給が電源部２６（図１参照）によって再開されるとともに、装置本体１０は、ＨＤＤ部２８（図１参照）による録画再生動作が可能な状態に移行されるとともに、本制御が終了される。
【００５３】
また、ステップＳ８において、制御部２１（図１参照）は、装置本体１０の電源をオフ状態（スタンバイ状態）に移行することがユーザによって許可されない（ユーザが”いいえボタン“９４ｂ（図９参照）を選択・決定する）と判断した場合、ステップＳ９〜ステップＳ１２の処理を行わずに、本制御に関する制御動作を終了する。
【００５４】
また、ステップＳ６において、制御部２１（図１参照）は、装置本体１０が録画番組を再生中でないと判断した場合、ステップＳ２１において、制御部２１（図１参照）は、装置本体１０のＨＤＤ部２８（図１参照）に供給する電源を停止するよう電源部２６（図１参照）に指令を出す。この結果、ＨＤＤ部２８（図１参照）およびＨＤＤ部２８（図１参照）への録画再生動作を制御する内部機器への電源供給が電源部２６（図１参照）によって停止されるとともに、装置本体１０は、スタンバイ状態に移行される。
【００５５】
次に、ステップＳ２２において、放送局からのサービス情報を受信するとともに、メモリ部２５（図１参照）に記憶させる。そして、ステップＳ２３では、ステップＳ１１と同様に、制御部２１（図１参照）は、ステップＳ２２で受信されたサービス情報に基づいて、すでにメモリ部２５（図１参照）に記憶されている電子番組表（ＥＰＧ）データの更新を行うとともに、更新後の電子番組表（ＥＰＧ）データをメモリ部２５（図１参照）に再記憶させる。
【００５６】
ここで、本実施形態では、上述のステップＳ１２と同様に、次のステップＳ２４において、サービス情報の更新が完了した直後に、制御部２１（図１参照）は、ＨＤＤ部２８（図１参照）およびＨＤＤ部２８（図１参照）への録画再生動作を制御する内部機器への電源停止状態（スタンバイ状態）を電源供給状態（オン状態）に回復させるよう電源部２６（図１参照）に指令を出す。この結果、ＨＤＤ部２８（図１参照）およびＨＤＤ部２８（図１参照）への録画再生動作を制御する内部機器への電源供給が電源部２６（図１参照）によって再開されるとともに、装置本体１０は、ＨＤＤ部２８（図１参照）による録画再生動作が可能な状態に移行されるとともに、本制御が終了される。
【００５７】
また、本実施形態では、制御部２１（図１参照）は、上述の制御動作を、１日複数回（５回〜１６回）設けられたサービス情報が配信される全ての時間において行うことが可能とされている。したがって、現在の時間がサービス情報が配信される時間になり、かつ、装置本体１０の電源状態がオフ状態（スタンバイ状態）に移行可能な場合は、常に、サービス情報および電子番組表（ＥＰＧ）を最新の状態に更新することが可能とされている。
【００５８】
なお、上述の制御動作は、ＨＤＤレコーダ１００の主電源がオン状態（ＨＤＤ部２８（図１参照）にテレビ番組を録画することが可能な状態）を前提として説明したものであるが、ＨＤＤレコーダ１００の主電源がオフ状態（ＨＤＤ部２８に関する録画再生機能がスタンバイ状態）である場合は、制御部２１（図１参照）は、１日複数回（５回〜１６回）所定の時間に配信されるサービス情報を受信するとともに、電子番組表（ＥＰＧ）を都度更新することが可能とされている。
【００５９】
本実施形態では、上記のように、装置本体１０を、放送波により放送信号とともにサービス情報（ＰＳＩ／ＳＩ）を受信する受信部（チューナ）２２を含むように構成することによって、有線接続が可能とされていない使用環境においても、放送波を介して放送信号とともにサービス情報（ＰＳＩ／ＳＩ）を受信することができるので、有線接続が不可能な環境下でのサービス情報（ＰＳＩ／ＳＩ）の取得ができる。また、装置本体１０に設けられ、サービス情報（ＰＳＩ／ＳＩ）を受信する時間よりも５分前に、装置本体１０のＨＤＤ部２８およびＨＤＤ部２８への録画再生動作を制御する内部機器への電源供給状態がオン状態の場合は、ＨＤＤ部２８およびＨＤＤ部２８への録画再生動作を制御する内部機器への電源供給を停止するとともに、装置本体１０を映像記録再生装置としてはスタンバイ状態に移行させる制御を行う制御部２１を備えるように構成することによって、装置本体１０は、制御部２１によってサービス情報（ＰＳＩ／ＳＩ）を受信する時間には電源がオフ状態（スタンバイ状態）に切り換えられているので、この場合、確実にサービス情報（ＰＳＩ／ＳＩ）を取得することができる。したがって、１日の中で複数回（５回〜１６回）に渡って更新されるサービス情報（ＰＳＩ／ＳＩ）を常に最新の状態として装置本体１０（メモリ部２５）に保持することができる。また、装置本体１０に設けられ、サービス情報（ＰＳＩ／ＳＩ）を受信する時間よりも５分前に、装置本体１０の電源状態（ＨＤＤ部２８およびＨＤＤ部２８への録画再生動作を制御する内部機器への電源供給状態）がオン状態である場合には、ディスプレイ装置５０の電源状態は維持しながら、装置本体１０の電源状態（ＨＤＤ部２８およびＨＤＤ部２８への録画再生動作を制御する内部機器への電源供給状態）をオフ状態にする制御部２１を備えるように構成することによって、装置本体１０が番組情報を取得する際でもディスプレイ装置５０の電源状態を維持することができるので、ユーザが映像を見ている途中で、サービス情報（ＰＳＩ／ＳＩ）の取得によって強制的に中断させられることを回避することができる。
【００６０】
また、本実施形態では、装置本体１０を、サービス情報（ＰＳＩ／ＳＩ）を受信する時間よりも５分前に、装置本体１０の電源状態（ＨＤＤ部２８およびＨＤＤ部２８への録画再生動作を制御する内部機器への電源供給状態）をオフ状態にするか否かを確認画面９３（図８参照）によって選択可能なように構成することによって、ユーザがサービス情報（ＰＳＩ／ＳＩ）の取得を望む場合と、ユーザがサービス情報（ＰＳＩ／ＳＩ）の取得を望まない場合とによって、装置本体１０内部の電源制御をユーザが任意に選択することができる。
【００６１】
また、本実施形態では、装置本体１０を、ＨＤＤ部２８に記憶された放送信号に基づく映像が再生中である場合において、サービス情報（ＰＳＩ／ＳＩ）を受信する時間よりも５分前に、装置本体１０の電源状態（ＨＤＤ部２８およびＨＤＤ部２８への録画再生動作を制御する内部機器への電源供給状態）をオフ状態にする場合には、装置本体１０の電源をオフ状態に移行させる旨のメッセージ画面９４（図９参照）をディスプレイ装置５０に出力するとともに、制御部が装置本体１０の電源をオフ状態に移行させることの許可を求めるように構成することによって、ユーザは録画番組の再生中であっても、５分後に装置本体１０の電源がオフ状態に移行されることをメッセージ画面９４（図９参照）から容易に認識することができる。その上で、ユーザは録画番組の再生を中断して装置本体１０の電源をオフ状態に移行させるか否かの判断を最終的に決定することができるので、装置本体１０側の一方的な制御により、ユーザは録画番組の再生を強制的に中断させられてしまうことを回避することができる。
【００６２】
また、本実施形態では、制御部２１を、サービス情報（ＰＳＩ／ＳＩ）を受信する時間よりも５分前に、装置本体１０の電源状態（ＨＤＤ部２８およびＨＤＤ部２８への録画再生動作を制御する内部機器への電源供給状態）をオフ状態にする設定が選択されている場合には、サービス情報（ＰＳＩ／ＳＩ）が配信される時間の毎回（５回〜１６回：放送局によって異なる）において、装置本体１０の電源をオフ状態にする制御を行うように構成することによって、装置本体１０は１日の中で複数回（５回〜１６回）に渡って更新されるサービス情報（ＰＳＩ／ＳＩ）を常に最新の状態として装置本体１０（メモリ部２５）に保持し続けることができる。
【００６３】
また、本実施形態では、制御部２１を、受信された放送信号に基づく映像が録画中である場合には、サービス情報（ＰＳＩ／ＳＩ）を受信する時間よりも５分前に、装置本体１０の電源状態（ＨＤＤ部２８およびＨＤＤ部２８への録画再生動作を制御する内部機器への電源供給状態）をオフ状態にする制御を行わないように構成することによって、装置本体１０はサービス情報（ＰＳＩ／ＳＩ）の取得のために、映像の録画動作を制御する内部機器への電源供給を停止する必要がないので、ユーザは、映像の録画を中断させられることがなく、映像の録画を継続させることができる。
【００６４】
また、本実施形態では、制御部２１を、サービス情報（ＰＳＩ／ＳＩ）の受信が終了した際に、装置本体１０の電源状態を、サービス情報（ＰＳＩ／ＳＩ）を受信する時間よりも５分前の電源状態に戻す制御を行うように構成することによって、ユーザは、更新されたサービス情報（ＰＳＩ／ＳＩ）に基づいて作成された電子番組表（ＥＰＧ）を閲覧しながら新規の録画予約が設定可能であるとともに、再生が中断された時点の映像視聴を直ちに再開することも可能である。したがって、ユーザは、サービス情報（ＰＳＩ／ＳＩ）の受信前に行っていた継続中の操作を容易に再開させることかできる。
【００６５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６６】
たとえば、上記実施形態では、放送受信装置の一例としてのＨＤＤレコーダに本発明を適用した例を示したが、本発明はこれに限らず、放送波により放送信号とともに番組情報を受信する放送受信手段と、映像を記憶する映像記憶部と、番組情報から作成される電子番組表を記憶する番組情報記憶部とが設けられた放送受信装置であれば、ＨＤＤレコーダ以外の放送受信装置にも適用可能である。
【００６７】
また、上記実施形態では、制御部２１を、サービス情報を受信する時間よりも５分前に、装置本体１０のＨＤＤ部２８およびＨＤＤ部２８への録画再生動作を制御する内部機器への電源供給を停止させ、装置本体１０をスタンバイ状態に移行させるように構成した例を示したが、本発明はこれに限らず、制御部２１を、サービス情報を受信する時間の５分前以外の所定の時間前に、装置本体１０のＨＤＤ部２８およびＨＤＤ部２８への録画再生動作を制御する内部機器への電源供給を停止させ、装置本体１０をスタンバイ状態に移行させるように構成してもよい。
【００６８】
また、上記実施形態では、制御部２１を、サービス情報を受信する時間よりも５分前に、装置本体１０の電源状態をオフ状態にする設定が選択されている場合は、１日のうちサービス情報が配信される時間の全回数において、装置本体１０の電源をオフ状態にする制御を行うように構成した例を示したが、本発明はこれに限らず、制御部２１を、サービス情報の更新回数を、全回数以外の所定の回数（たとえば１回）だけ行った時点で、以後はサービス情報の受信時間の５分前であっても装置本体１０の電源状態をオフ状態にしないような制御を行うように構成してもよい。
【００６９】
また、本実施形態では、制御部２１を、サービス情報の受信が終了した際に、装置本体１０の電源状態を、サービス情報を受信する時間よりも５分前の電源状態に戻す制御を行うように構成した例を示したが、本発明はこれに限らず、制御部２１を、サービス情報の受信が終了した際に、装置本体１０の電源状態をオフ状態（スタンバイ状態）に維持するような制御を行うように構成してもよい。このように構成すれば、サービス情報取得後もユーザが装置本体を操作しない場合は、装置本体の電源がオフ状態であるために、機器の消費電力を待機電力レベルに維持することができる。また、装置本体の電源がオフ状態であれば、次のサービス情報受信時間の５分前にユーザに対するメッセージ画面を表示させる必要もなく、自動的にサービス情報の受信を開始することができる。
【図面の簡単な説明】
【００７０】
【図１】本発明の一実施形態によるＨＤＤレコーダの回路構成を示したブロック図である。
【図２】図１に示した一実施形態によるＨＤＤレコーダを操作するリモコン送信機を示した図である。
【図３】図１に示した一実施形態によるＨＤＤレコーダを操作するリモコン送信機を示した図である。
【図４】図１に示した一実施形態によるＨＤＤレコーダの操作画面の構成を示した図である。
【図５】図１に示した一実施形態によるＨＤＤレコーダの操作画面の構成を示した図である。
【図６】図１に示した一実施形態によるＨＤＤレコーダの操作画面の構成を示した図である。
【図７】図１に示した一実施形態によるＨＤＤレコーダの操作画面の構成を示した図である。
【図８】図１に示した一実施形態によるＨＤＤレコーダの操作画面の構成を示した図である。
【図９】図１に示した一実施形態によるＨＤＤレコーダの操作画面の構成を示した図である。
【図１０】図１に示した本発明の本実施形態によるＨＤＤレコーダの制御動作を説明するための図である。
【符号の説明】
【００７１】
１０    装置本体
２１    制御部
２２    受信部（放送受信手段）
２５    メモリ部（番組情報記憶部）
２８    ＨＤＤ部（映像記憶部）
５０    ディスプレイ装置（表示装置）
９４    メッセージ画面（メッセージ）
【図１】
2008141449.tif 000003
【図２】
2008141449.tif 000004
【図３】
2008141449.tif 000005
【図４】
2008141449.tif 000006
【図５】
2008141449.tif 000007
【図６】
2008141449.tif 000008
【図７】
2008141449.tif 000009
【図８】
2008141449.tif 000010
【図９】
2008141449.tif 000011
【図１０】
2008141449.tif 000012